(57)【特許請求の範囲】
【請求項１】
送風機（５０）と送風パイプ（５１）を連通・分離可能に構成した側条施肥機において、該送風パイプ（５１）の側に固定した摺動板ブラケット（８２）に摺動板（８１）を摺動可能に設けると共に、該摺動板（８１）にスイッチ本体（８０）を固定し、前記送風機（５０）の側に該スイッチ本体（８０）と接離可能の押圧体（６２）を設け、前記送風機（５０）と送風パイプ（５１）を連通させた際に、該押圧体（６２）がスイッチ本体（８０）に当接して、該スイッチ本体（８０）をオンとして送風機（５０）を駆動可能とし、側条施肥機（３０）を施肥可能な状態とするスイッチ（６０）を構成し、該送風機（５０）と送風パイプ（５１）とを連通させた状態において、該スイッチ本体（８０）を押圧体が当接しない位置に摺動板（８１）を摺動操作可能として、該送風機（５０）の運転又は停止を切り替え操作可能とし、収納時に送風機（５０）を作動させないためのスイッチ（６０）として機能すると共に、該送風機（５０）と送風パイプ（５１）とを連通させた状態での、該送風機（５０）の運転又は停止を切り替えるためのスイッチ（６０）としても機能させたことを特徴とする送風機のスイッチ。
【発明の詳細な説明】
【０００１】
【発明の属する技術分野】
本発明は、側条施肥機に具備される送風機のスイッチの構造に関する。
【０００２】
【従来の技術】
従来、肥料ホッパや肥料繰出ケース等からなる施肥ユニットを左右方向に複数配列して、該施肥ユニット下部に位置し左右方向に伸延した送風パイプを介して、送風機を連通させ、肥料繰出ケース内で調量した肥料を、空気搬送するようにした側条施肥機を乗用田植機に搭載して、植付作業と同時に施肥作業ができるようにしたものが公知である。
【０００３】
そして、上述のような側条施肥機では、圃場間の移動や格納時に側条施肥機の横幅を狭めるために、前記送風機と送風パイプとを連通・分離可能に構成し、送風機を機体内側に回動・格納して横幅を小さくするようにしたものがある。
【０００４】
さらに、特開平１１−４６１１号公報では、送風機収納時に、送風機の吹出口から同じく送風機のファンケースに内装されるファンまでの距離が近く、吹出口が開放した状態でファンが回転するのを防止するため、収納時にはファンの回転がオフになるように位置検出スイッチを設けて、送風機が収納状態にあるときは常に送風機がオフとなるようにスイッチを設けたものが本出願人から提案されている。
【０００５】
【発明が解決しようとする課題】
乗用田植機が植付作業状態にあるとき、上述の従来技術に示される構成では、側条施肥機は送風パイプ内に泥水や雨水が浸入しないようにするために送風機と送風パイプとを連通した状態とする。しかし、植付作業状態、即ち、送風機が送風パイプと連通した状態であっても施肥作業を行わない場合があるため、乗用田植機が植付作業状態であるときに送風機のみを停止させるためのスイッチ等の機構が、収納時に送風機をオフにするためのスイッチとは別途必要となり、部品点数が多くなってコストが高くなるという不具合がある。
【０００６】
【課題を解決するための手段】
本発明の解決しようとする課題は以上の如くであり、次にこの課題を解決するための手段を説明する。
【０００７】
請求項１においては、送風機（５０）と送風パイプ（５１）を連通・分離可能に構成した側条施肥機において、該送風パイプ（５１）の側に固定した摺動板ブラケット（８２）に摺動板（８１）を摺動可能に設けると共に、該摺動板（８１）にスイッチ本体（８０）を固定し、前記送風機（５０）の側に該スイッチ本体（８０）と接離可能の押圧体（６２）を設け、前記送風機（５０）と送風パイプ（５１）を連通させた際に、該押圧体（６２）がスイッチ本体（８０）に当接して、該スイッチ本体（８０）をオンとして送風機（５０）を駆動可能とし、側条施肥機（３０）を施肥可能な状態とするスイッチ（６０）を構成し、該送風機（５０）と送風パイプ（５１）とを連通させた状態において、該スイッチ本体（８０）を押圧体が当接しない位置に摺動板（８１）を摺動操作可能として、該送風機（５０）の運転又は停止を切り替え操作可能とし、収納時に送風機（５０）を作動させないためのスイッチ（６０）として機能すると共に、該送風機（５０）と送風パイプ（５１）とを連通させた状態での、該送風機（５０）の運転又は停止を切り替えるためのスイッチ（６０）としても機能させたものである。
【０００８】
【発明の実施の形態】
次に、以下の図面を用いて発明の実施の形態を説明する。図１は本発明の実施例に係る側条施肥機を搭載した乗用田植機の全体的な構成を示した側面図、図２は同じく平面図、図３は車体フレームとミッションケースの概略斜視図である。
【０００９】
図４は側条施肥機の正面図、図５は同じく左側面図、図６は同じく右側平面図、図７は送風機を示す正面図、図８は同じく左側面図、図９は収納状態の送風機を示す平面図、図１０は施肥サイドフレームを示す側面図である。図１１はスイッチを示す側面一部断面図、図１２は作動可能状態のスイッチを示す平面図、図１３は作動不能状態のスイッチを示す平面図である。
【００１０】
初めに、本実施例に係る乗用田植機の全体構成について、図１乃至図３を用いて説明する。但し、本実施例は四条植え式の植付部９を搭載する乗用田植機であり、従って、後述する側条施肥機３０には四組の施肥ユニット４８・４８・・が具備されるが、これに限定されるものではなく、植付部９は六条植え式や八条植え式であってもよく、このとき側条施肥機３０には条数に対応する施肥ユニット４８・４８・・を備えるものとする。
【００１１】
乗用田植機は、走行車両１と、該走行車両１の後部に連結した植付部９とで構成されている。そして、走行車両１の前部及び後部にはそれぞれ前輪２・２と後輪３・３とが懸架され、車体フレーム４の前部には動力部であるエンジン５が搭載されてボンネット２２で覆われている。前記ボンネット２２の両側には予備苗載台９０が配設され、同じくボンネット２２の後上方には操向ハンドル８が配設されている。そして、操向ハンドル８の周囲であってボンネット２２には主変速レバー７５、全動力を入切操作可能な苗継ぎレバー７６、アクセルレバー７２等が配設され、該操向ハンドル８の左側下方には主クラッチペダル７４、同じく右側下方にブレーキペダル７３が配設されている。
【００１２】
エンジン５後方であって車体フレーム４の左右略中央には前後方向に長く形成したミッションケース６が配置されており、該ミッションケース６の前部で前輪２・２が支持され、後部で後輪３・３が支持されている。ミッションケース６は、ボンネット２２の後方、且つ運転席７前方に位置するステップ２０ｃ、運転席の側方に位置するステップ２０ｂ・２０ｂ、及び運転席７を設置するための台座部２０ｄを一体的に形成した車体カバー２０によって覆われており、該車体カバー２０の後上部には運転席７が設けられている。さらに、車体カバー２０の運転席７側方には植付部９の昇降・植付の入切・植付時の変速・線引きマーカ等の操作を行うシフトレバー７７や、油圧感度調節レバー１４１等が設けられている。
【００１３】
前記走行車両１の後部には、植付部９を構成する植付伝動フレーム９２が、該植付伝動フレーム９２の前部に、ローリング支点軸１７を介して設けられたヒッチ９４の、上部に枢支されたトップリンク１１と、同じくヒッチ９４の下部に枢支されたロワリンク１２とで構成された昇降リンク機構１０を介して連結されている。
【００１４】
前記昇降リンク機構１０を構成するトップリンク１１は、車体フレーム４を構成する背面視逆Ｕ字状のリアフレーム４３の上部に固設された取付部４３ａに軸支される。一方、ロワリンク１２は、該ロワリンク１２の前部に設けられた側面視三角状の支持体１２ａの前部が、前記リアフレーム４３の下部に軸支され、該支持体１２ａの上部には、昇降リンク機構１０を昇降駆動させる昇降シリンダ１５が連結されている。
【００１５】
なお、リアフレーム４３は昇降リンク機構１０の支持部として利用されると共に、取付プレート３９を介して前記ミッションケース６の後部に一体的に設けられているリアアクスルケース３８が連結されている。そして、リアフレーム４３の上方であって、運転席７と植付部９の間には後述する側条施肥機３０が配設されている。
【００１６】
上述の如く走行車両１の後部に連結された植付部９は、四条植え式の苗載台９１や複数の植付爪９３・９３・・・等から構成されており、前高後低に配設した苗載台９１を、下部レール９５及びガイドレール９６を介して植付伝動フレーム９２に左右往復摺動自在に支持させると共に、ロータリケース９３ａ・９３ａ・・の回転により、先端が楕円状軌跡を描いて回転しながら苗を植え付ける植付爪９３・９３・・・を、植付伝動フレーム９２の後部に配設している。
【００１７】
植付部９の下部には、センターフロート９７とサイドフロート９８・９８が配設されている。前記センターフロート９７は、走行車両１の左右中心線上に配置され、センターフロート９７の左右対称位置にサイドフロート９８・９８が配設されて、植付部９の左右のバランスを良好に保ち、植え付け姿勢を安定させて、正確に植え付けができるようにしている。そして、前記サイドフロート９８・９８には各植付条における苗の植え付け部位に隣接する側条作溝器３３・３３・・が設けられ、該側条作溝器３３・３３・・は接地面よりも下方側に向けて泥土層に入り込み、肥料を供給するための溝を形成しながら、前記側条施肥機３０から搬送ホース３２・３２・・を介して送られた肥料を泥土層に施肥するようにしている。
【００１８】
このようにして、上述の乗用田植機は、エンジン５の動力を利用して前輪２・２及び後輪３・３を走行駆動して走行移動させると共に、左右に往復摺動可能な苗載台９１から一株分の苗を植付爪９３・９３・・・によって取り出して連続的に苗を植え付け、さらに、植え付けと同時に施肥できるように構成されている。
【００１９】
ここで、本発明に係る側条施肥機３０について説明する。まず、側条施肥機３０の支持構成から説明する。図３に示す如く、前記車体フレーム４の構成部材である左右の前後フレーム４４・４４の後部には背面視逆Ｕ字状のリアフレーム４３が固設されており、該リアフレーム４３左右両側部には、平面Ｌ字状のステップ支持フレーム１０９・１０９が固設され、その連結部はそれぞれ支持ブラケット１０８・１０８によって補強されている。そして、左右の支持ブラケット１０８・１０８にステーを介して機体左右方向に施肥下部フレーム１０６ｃを横架している。なお、側条施肥機３０を田植機に装備しないときは前記支持ブラケット１０８・１０８に図示せぬリヤデッキを支持させて車体カバー２０を後方へ延設することができる。
【００２０】
そして、図４及び図５に示す如く、前記施肥下部フレーム１０６ｃの左右両端には、施肥サイドフレーム１０１Ｌ・１０１Ｒが設けられ、施肥下部フレーム１０６ｃと同様に施肥前部フレーム１０６ａ及び施肥後部フレーム１０６ｂがそれぞれ施肥サイドフレーム１０１Ｌ・１０１Ｒ間に架設されている。そして、施肥前部フレーム１０６ａで後述する肥料繰出ケース４７の前部を、施肥後部フレーム１０６ｂで肥料繰出ケース４７の後部を、施肥下部フレーム１０６ｃで肥料繰出ケース４７の下部を支持している。そして、これら施肥前部フレーム１０６ａ、施肥後部フレーム１０６ｂ、施肥下部フレーム１０６ｃ及び施肥サイドフレーム１０１Ｌ・１０１Ｒ等で施肥フレーム１０６を構成している。
【００２１】
上述の如く構成された施肥フレーム１０６に構成される側条施肥機３０には、粉粒状の肥料を貯溜する肥料ホッパ４９と、肥料繰出部であって肥料を所定量ずつ繰り出す肥料繰出装置を内装する肥料繰出ケース４７と、フロート９７・９８・９８の側条作溝器３３にフレキシブル型搬送ホース３２を介して肥料を排出させるターボブロワ型の送風機５０と、円筒形の送風パイプ５１とを備えると共に、該送風パイプ５１一側端（本実施例においては右側）に前記送風機５０を取り付け、四条分四組の肥料繰出ケース４７・４７・・を送風パイプ５１上方に配設している。そして、前記肥料ホッパ４９、肥料繰出ケース４７、及び搬送ホース３２などから施肥ユニット４８が構成され、該施肥ユニット４８・４８・・は機体左右方向に並設して配置されている。
【００２２】
そして、前記肥料繰出ケース４７の下端部では、前部に前記送風パイプ５１に前端部を嵌着させる接合パイプ５９を連結接続し、同じく後部には前記搬送ホース３２を嵌着して、前記送風機５０からの空気を送風パイプ５１から肥料繰出ケース４７の下端部及び搬送ホース３２に吹き出させ、肥料繰出ケース４７の下端部に落下する肥料を、搬送ホース３２を介して側条作溝器３３位置まで空気搬送するように構成している。
【００２３】
ここで、本発明に係る送風機５０及びそのスイッチ６０について詳細に説明する。
本実施例において送風機５０は側条施肥機３０の右側部に設けられており施肥サイドフレーム１０１Ｒに支持されている。但し、送風機５０は側条施肥機３０の左側部に設けることもでき、また、後述するが、本実施例の送風機５０は側条施肥機３０の後部側に収納されるようにしているが、送風機５０を側条施肥機３０の前部側に収納することもできる。
【００２４】
前記送風機５０と送風パイプ５１は施肥サイドフレーム１０１Ｒを介して接続されており、送風機５０と送風パイプ５１は内部で連通している。そして、施肥フレーム１０６に相対位置固定された送風パイプ５１に対し、送風機５０は送風パイプ５１の一端が固定された施肥サイドフレーム１０１Ｒに対して回動可能に構成して、施肥フレーム１０６外側端の送風機５０を側方に拡開して側条施肥を可能とすると共に、送風機５０を機体後方内側に回動・格納して移動の便を図ることができるようにしている。
【００２５】
図６乃至図１０に示す如く、送風パイプ５１の一側端部と、送風機５０の吹出口５０ａを囲繞したフランジ６１を夫々施肥サイドフレーム１０１Ｒに支持させ、該施肥サイドフレーム１０１Ｒに左右方向に穿設された挿通孔１０１Ｒａによって送風機５０と送風パイプ５１内部が連通した状態としている。なお、前記フランジ６１には後述する送風機５０のスイッチ６０を作動させる押圧体６２が機体内側に突出した状態に設けられている。
【００２６】
前記送風機５０の図示せぬファンを内装するファンケース５０ｂの後面に板金製側面視略コ字状の送風機取付具６３を固定し、該送風機取付具６３の機体内側端部に前記吹出口５０ａを囲繞するフランジ６１を固定している。そして、前記ファンケース５０ｂの前部にモータ部５０ｃを設け、下部に位置するフィルタ５０ｅを介してファンケース５０ｂ内に外部の空気を取り込むための吸入筒５０ｄを同じくファンケース５０ｂの後部に配設している。そして、前記フランジ６１には回動アーム６４が設けられており、施肥サイドフレーム１０１Ｒ機体内側後部に設けられた枢軸支持体６５と回動アーム６４を枢軸５５によって回動可能に接続して、送風機５０が施肥サイドフレーム１０１Ｒの後部を中心として回動可能としている。
【００２７】
なお、前記送風機取付具６３前面の機体内側部にはフック型の固定具６７が設けられており、該固定具６７の係止部６７ａを施肥サイドフレーム１０１Ｒに設けられた開口部１０１Ｒｂを通して、施肥サイドフレーム１０１Ｒの機体内側に設けられた係止金具１０１Ｒｄと係合させて施肥サイドフレーム１０１Ｒと送風機取付具６３とを簡易に固定又は固定解除できるようにしている。そして、図９に示す如く、送風機５０を機体後方内側へ回動させて収納した状態としたとき、前記送風機取付具６３から後方に延設された部材上に設けられたフック型の固定具６８の係止部６８ａを、施肥後部フレーム１０６ｂに設けられた係止金具６９と係合させて、施肥後部フレーム１０６ｂに送風機取付具６３を固定できるようにしており、従って、送風機５０が収納位置にある状態で保持されるようにしている。
【００２８】
図１０に示す如く、前記送風機５０のスイッチ６０は施肥サイドフレーム１０１Ｒの機体内側であって、挿通孔１０１Ｒａの上方に設けられている。なお、本実施例においては、スイッチ６０を施肥サイドフレーム１０１Ｒ側（送風パイプ５１側）に、押圧体６２を送風機５０側に設けているが、逆に、スイッチ６０を送風機５０側に、押圧体６２を施肥サイドフレーム１０１Ｒ側（送風パイプ５１側）に設けることもできる。
【００２９】
図１１乃至図１３に示す如く、スイッチ本体８０は平面視略ホームベース型状の摺動部材である摺動板８１と、該摺動板８１の下方に位置する平面視略三角形の補助板８４との間に配設され、摺動板８１、スイッチ本体８０及び補助板８４を上下方向に貫通するボルト８３・８３によってこれらが一体的に移動するようにしている。そして、前記摺動板８１は施肥サイドフレーム１０１Ｒに対して直交して水平方向に突設して設けられた支持部材である摺動板ブラケット８２に摺動可能に保持され、該摺動板ブラケット８２に上面にはガイド溝となる長孔８２ａ・８２ａが摺動板８１の摺動方向（左右方向）に長く開口され、該長孔８２ａ・８２ａに被ガイド体となる前記ボルト８３・８３の頭を嵌入している。従って、ボルト８３・８３の頭が摺動板ブラケット８２の長孔８２ａ・８２ａにガイドされ、摺動板８１は摺動板ブラケット８２に対してその摺動範囲を規制される。８１ｃは把手として摺動板８１より後方に突出形成している。このように、摺動板８１にスイッチ本体８０を固定して一体的に移動可能に構成することで、簡易な構成でスイッチ６０を押圧体６２との離間距離を変更可能としている。
【００３０】
なお、本実施例において、前記長孔８２ａ・８２ａは施肥サイドフレーム１０１Ｒと略直交方向に設けられており、摺動板８１は該施肥サイドフレーム１０１Ｒと近接したり離間したりする方向に摺動し、ボルト８３・８３の頭が長孔８２ａ・８２ａの施肥サイドフレーム１０１Ｒ側にあるときをスイッチ６０作動可能位置Ｓ（図１２）とし、反対側にある時をスイッチ６０作動不能位置Ｔ（図１３）としている。
【００３１】
また、摺動板ブラケット８２を上下に貫通する係止ピン８６が設けられており、該係止ピン８６の下端が摺動板８１に設けられた二個の係止孔８１ａ・８１ｂの何れかに係入することで、摺動板８１がスイッチ６０作動可能位置Ｓ又はスイッチ６０作動不能位置Ｔに至った時のディテントとして機能し、係止ピン８６が係止孔８１ｂと係合するときはスイッチ６０作動可能位置Ｓに、また、係止ピン８６が係止孔８１ａと係合するときとスイッチ６０作動不能位置Ｔに摺動板８１を摺動板ブラケット８２に保持できるようにしている。
【００３２】
さらに、係止ピン８６は該係止ピン８６と略直角に当接し、バネ８７ａによって係止ピン８６側に付勢された固定球８７が、係止ピン８６に形成された溝８６ａ・８６ｂに係合することで、係止ピン８６の略垂直方向位置を保持できるようにしてディテントを構成し、摺動板８１が摺動可能な状態と摺動不能な状態とに切り替えることができるようにしている。なお、係止ピン８６に形成された上下の溝８６ａ・８６ｂのうち、上方の溝８６ａに固定球８７が係合しているとき、係止ピン８６の下端部が摺動板８１に設けられた係止孔８１ａ・８１ｂに係入して摺動板８１が摺動不可能となり、これに対し、下方の溝８６ｂに固定球８７が係合しているとき、係止ピン８６の下端が摺動板８１より上方にある状態に該係止ピン８６を保持するため摺動板８１は摺動可能となる。
【００３３】
このように、摺動板ブラケット８２に設けられた長孔８２ａ・８２ａは摺動板８１のガイド溝として機能し、また、係止ピン８６と摺動板８１に設けられた係止孔８１ａ・８１ｂと前記長孔８２ａ・８２ａが摺動板８１のディテントとして機能することで、摺動板８１がスイッチ６０作動可能位置とスイッチ６０作動不能位置Ｔとに良好に切り替わるようにしている。
【００３４】
そして、前記スイッチ本体８０には板バネ８５が付設されており、通常は、同じくスイッチ本体８０から施肥サイドフレーム１０１Ｒ側へ突出した状態に設けられた接点８０ａと板バネ８５とは、所定間隙を保持して対向させ当接しない状態となっている。そして、板バネ８５が押圧されて該板バネ８５の一端部で接点８０ａを押圧し、スイッチ本体８０をオンさせて、送風機５０を作動させるようにしている。
【００３５】
図１２に示す如く、送風機５０を送風パイプ５１に連通させた状態で、摺動板８１がスイッチ６０作動可能位置Ｓにあれば、前述の如く送風機５０の吹出口５０ａを囲繞するフランジ６１に設けられた押圧体６２が、施肥サイドフレーム１０１Ｒに設けられた孔１０１Ｒｃを貫通して、板バネ８５を押圧してスイッチ本体８０の接点８０ａが板バネ８５に当接し、スイッチ６０がオンとなって送風機５０が可動な状態となる。また、送風機５０を格納するために、送風機５０を回動させると、板バネ８５から押圧体６２が離れて、板バネ８５が接点８０ａから離れ、スイッチ本体８０をオフして、送風機５０の作動を停止させる。すなわち、摺動板８１がスイッチ６０作動可能位置Ｓにあって送風機５０を送風パイプ５１に連通させれば送風機５０のスイッチ６０がオンとなり、送風機５０と送風パイプ５１との連通を解除すればスイッチ６０がオフとなる。従って、スイッチ６０は送風機５０を送風パイプ５１と分離させたときに該送風機５０が作動しないようにするためのスイッチとして機能する。
【００３６】
一方、図１３に示す如く、送風機５０を送風パイプ５１に連通させた状態であっても、摺動板８１をスイッチ６０作動不能位置Ｔに摺動させれば、押圧体６２が板バネ８５を押圧しない状態となり、従って、板バネ８５とスイッチ本体８０の接点８０ａが当接しないのでスイッチ６０がオンとならない。すなわち、把手８１ｃを持って後方へ引っ張り摺動板８１がスイッチ６０作動不能位置Ｔにあれば、送風機５０が如何なる状態にあってもスイッチ６０がオフとなる。従って、上述の如く、送風機５０の収納時の作動を阻止するスイッチとして機能するだけでなく、送風機５０が送風パイプ５１と連通して施肥作業位置にある状態でも所望に応じて送風機５０の運転又は停止を切り替えるためのスイッチとして機能する。一つのスイッチ６０に二個の機能を持たせることで部品点数を削減し、コスト削減に寄与している。
【００３７】
【発明の効果】
本発明は、以上のように構成したので、以下に示すような効果を奏する。
【００３８】
即ち、請求項１に示す如く、送風機（５０）と送風パイプ（５１）を連通・分離可能に構成した側条施肥機において、該送風パイプ（５１）の側に固定した摺動板ブラケット（８２）に摺動板（８１）を摺動可能に設けると共に、該摺動板（８１）にスイッチ本体（８０）を固定し、前記送風機（５０）の側に該スイッチ本体（８０）と接離可能の押圧体（６２）を設け、前記送風機（５０）と送風パイプ（５１）を連通させた際に、該押圧体（６２）がスイッチ本体（８０）に当接して、該スイッチ本体（８０）をオンとして送風機（５０）を駆動可能とし、側条施肥機（３０）を施肥可能な状態とするスイッチ（６０）を構成し、該送風機（５０）と送風パイプ（５１）とを連通させた状態において、該スイッチ本体（８０）を押圧体が当接しない位置に摺動板（８１）を摺動操作可能として、該送風機（５０）の運転又は停止を切り替え操作可能とし、収納時に送風機（５０）を作動させないためのスイッチ（６０）として機能すると共に、該送風機（５０）と送風パイプ（５１）とを連通させた状態での、該送風機（５０）の運転又は停止を切り替えるためのスイッチ（６０）としても機能させたので、送風機と送風パイプとを連通させた状態であってもスイッチ本体を押圧体が当接しない位置に移動させることができ、作業形態に応じて送風機の運転又は停止を切り替えることができる。
また、収納時に送風機を作動させないためのスイッチとして機能するだけでなく、送風機と送風パイプとを連通させた状態での送風機の運転又は停止を切り替えるためのスイッチとして機能して、一つのスイッチに二個の機能を備えることができるので、スイッチを二個備えるときと比較して部材点数が削減され、コストの削減を図ることができる。
【００３９】
また、送風パイプ（５１）の側に固定した摺動板ブラケット（８２）に摺動板（８１）を摺動可能に設けると共に、該摺動板（８１）にスイッチ本体（８０）を固定したので、簡易且つ安価に、送風機を作動可能又は作動不能な状態に切り替えるスイッチを構成することができる。
【図面の簡単な説明】
【図１】  本発明の実施例に係る側条施肥機を搭載した乗用田植機の全体的な構成を示した側面図。
【図２】  同じく平面図。
【図３】  車体フレームとミッションケースの概略斜視図。
【図４】  側条施肥機の正面図。
【図５】  同じく左側面図。
【図６】  同じく右側平面図。
【図７】  送風機を示す正面図。
【図８】  同じく左側面図。
【図９】  収納状態の送風機を示す平面図。
【図１０】  施肥サイドフレームを示す側面図。
【図１１】  スイッチを示す側面一部断面図。
【図１２】  作動可能状態のスイッチを示す平面図。
【図１３】  作動不能状態のスイッチを示す平面図。
【符号の説明】
３０  側条施肥機
４７  肥料繰出ケース
４８  施肥ユニット
４９  肥料ホッパ
５０  送風機
５１  送風パイプ
６０  スイッチ
６２  押圧体
８０  スイッチ本体
８０ａ  接点
８１  摺動板（摺動部材）
８２  摺動板ブラケット（支持部材）
８２ａ  長孔（ガイド溝）
８３  ボルト（被ガイド体）
８５  板バネ
【図１】
0004885385.tif 000002
【図２】
0004885385.tif 000003
【図３】
0004885385.tif 000004
【図４】
0004885385.tif 000005
【図５】
0004885385.tif 000006
【図６】
0004885385.tif 000007
【図７】
0004885385.tif 000008
【図８】
0004885385.tif 000009
【図９】
0004885385.tif 000010
【図１０】
0004885385.tif 000011
【図１１】
0004885385.tif 000012
【図１２】
0004885385.tif 000013
【図１３】
0004885385.tif 000014